(57)【特許請求の範囲】
【請求項１】
フロントパネルに形成した第１の軸受部と蓋体に形成された第２の軸受部とに挿入された軸を中心に開閉自在に構成された蓋開閉装置であって、
フロントパネルには一対の突出した第１の軸受部を備え、
蓋体には、中央開口部の左右にフロントパネルの第１の軸受部と同一軸心となる第２の軸受部と、この第２の軸受部の左右延長部位に形成された当接リブとを備え、
前記の軸は２本の軸よりなり、蓋体の中央開口部より左右の第２の軸受部からフロントパネルの第１の軸受部を経て前記当接リブに当接するように挿入して配置され、当該軸の挿入状態で軸の移動を規制する規制部材を前記蓋体の中央開口部に位置するようにフロントパネルの背面に配置した
蓋開閉装置。
【請求項２】
蓋体には第２の軸受部と同一の軸心の第１のギヤを設け、規制部材には第１のギヤと噛み合う第２のギヤおよびダンパー装置を設けた請求項１記載の蓋開閉装置。
【発明の詳細な説明】
【０００１】
【発明の属する技術分野】
本発明はミニディスク記録再生装置やコンパクトディスクの再生装置が付いたカセットテープレコーダー機器などの音響機器おける蓋開閉装置に関するものである。
【０００２】
【従来の技術】
近年、音響商品は普段にはあまり使用しない機能の操作釦などを、フロントパネルに開閉自在に取り付けられた蓋体に取り付け、操作する場合には蓋体を開いて操作するように構成される傾向がある。
【０００３】
図７と図８は従来の蓋開閉装置を示す。
図７と図８では蓋体がオープン状態を示している。フロントパネル１０１に開閉自在に取り付けられた蓋体は、下蓋１０２と上蓋１０３とで構成されている。１０４は上蓋１０３に設けられた操作釦、１０５，１０８はプリント配線基板、１０６は操作スイッチ、１０７は中間部材、１０９は締結ビス、１１０と１１２は接続用コネクタ、１１１は接続リードである。
【０００４】
プリント配線基板１０５に操作スイッチ１０６、コネクタ１１０等の部品が半田付けされ基板ブロックを構成している。上蓋１０３をベースに操作釦１０４，中間部材１０７が積み上げられ、基板ブロックが上蓋１０３より構成されているボス並びに位置決めピンによりビス締結され上蓋ブロックが構成される。この時、中間部材１０７がプリント配線基板上の操作スイッチ１０６と操作釦１０４との高さを一定に保つ様にしている。
【０００５】
接続リード１１１は上蓋１０３に形成された孔１０３−１を介して外へ引き出されている。その次に下蓋１０２へ前記の上蓋ブロックが取り付けられる。この時の上蓋１０３と下蓋１０２とはビス１０３−２で締結されている。
【０００６】
下蓋１０２には支軸１０２−１が両端に構成されており、上記のように組み立てられた蓋体は、フロントパネル１０１の軸受け孔１０１−１に下蓋１０２の支軸１０２−１を挿入して、蓋体が回動できるようになっている。
【０００７】
また、接続リード１１１はフロントパネルの開口部１０１−２を介してプリント配線基板１０８の上のコネクタ１１２に接続されている。
【０００８】
【発明が解決しようとする課題】
このような蓋開閉装置では、蓋体の側に支軸１０２−１を構成しフロントパネル１０１の側に軸受け孔１０１−１を構成しているが、支軸１０２−１の長手方向と軸受け孔１０１−１はオーバーラップする必要がある。
【０００９】
この時、支軸１０２−１と軸受け孔１０１−１のどちらかに剛体ではなく弾性体を構成し組み込み時にどちらかが撓んで挿入されるのが一般的である。しかし、デザイン的・構造的な制約により弾性体を構成できない場合がある。
【００１０】
また、構成できたとしても軸及び軸受けに十分な強度がないと蓋体のオープン時に蓋体に強い加重が加わった場合、支軸１０２−１と軸受け孔１０１−１に破損などの支障が生ずる恐れがある。
【００１１】
本発明は、突出した支軸１０２−１を蓋体の側に設けなくてもフロントパネル１０１に対して開閉自在に支持できる蓋開閉装置を提供することを目的とする。
【００１２】
【課題を解決するための手段】
本発明の蓋開閉装置は、蓋体の中央開口部より蓋体の左右の第２の軸受部から、フロントパネルの第１の軸受部を経て軸を挿入し、この軸の挿入状態で軸の移動を、蓋体の側の当接リブとフロントパネルの背面に取り付けた規制部材とで規制し、これで蓋体を開閉自在に構成している。
【００１３】
この本発明によると、蓋体の両サイドに回転支軸を構成できない場合でも蓋体の回転支軸を内部に構成することができ、操作時の品位・剛性も確保できる。
【００１４】
【発明の実施の形態】
請求項１記載の蓋開閉装置は、フロントパネルに形成した第１の軸受部と蓋体に形成された第２の軸受部とに挿入された軸を中心に開閉自在に構成された蓋開閉装置であって、フロントパネルには一対の突出した第１の軸受部を備え、蓋体には、中央開口部の左右にフロントパネルの第１の軸受部と同一軸心となる第２の軸受部と、この第２の軸受部の左右延長部位に形成された当接リブとを備え、前記の軸は２本の軸よりなり、蓋体の中央開口部より左右の第２の軸受部からフロントパネルの第１の軸受部を経て前記当接リブに当接するように挿入して配置され、当該軸の挿入状態で軸の移動を規制する規制部材を前記蓋体の中央開口部に位置するようにフロントパネルの背面に配置したことを特徴とする。
【００１５】
請求項２記載の蓋開閉装置は、請求項１において、蓋体には第２の軸受部と同一の軸心の第１のギヤを設け、規制部材には第１のギヤと噛み合う第２のギヤおよびダンパー装置を設けたことを特徴とする。
【００１６】
以下、本発明の実施の形態を図１〜図６に基づいて説明する。
なお、従来例を示す図７，図８と同様の作用を成すものには同一の符号を付けて説明する。
【００１７】
図５に示すこの音響機器は、受信中の放送局名や再生中のＭＤまたはＣＤのタイトルを表示部に表示できるように、予め文字設定をするためのキーボードＡが、蓋体Ｂの内側に設けられている。この蓋体Ｂは、以下のようにしてフロントパネル１に開閉自在に支持されている。
【００１８】
この蓋開閉装置は、図６に示すようにフロントパネル１とは別に設けられた蓋体Ｂと、２本の支軸１３，１４と、規制部材としてのダンパー装置１７などで構成されている。
【００１９】
フロントパネル１には一対の突出した第１の軸受部１−１，１−１を備えている。蓋体Ｂには、中央開口部Ｅの左右にフロントパネル１の第１の軸受部１−１，１−１と同一軸心となる第２の軸受部２−１，２−２と、この第２の軸受部２−１，２−２の左右延長部位に形成された当接リブ３−３，３−３とを備えている。
【００２０】
支軸１３，１４は、図３に示すように蓋体Ｂをフロントパネル１に挿入し、ダンパー装置１７をフロントパネル１の背面に取り付ける前の状態で、蓋体Ｂの中央開口部Ｅより左右の第２の軸受部２−１，２−２からフロントパネル１の第１の軸受部１−１，１−１を経て前記の当接リブ３−３，３−３に当接するまで挿入して配置され、この後に支軸１３，１４が抜け落ちないようにダンパー装置１７をフロントパネル１の背面に取り付けて組み立てられている。
【００２１】
以下に、詳細に説明する。
図１は蓋体ブロックオープン状態での図３のＶ−Ｖ矢視図、図２は図１のクローズ状態を示し、図３は図１のＺ−Ｚ矢視図、図４は図３のＹ−Ｙ矢視図である。
【００２２】
図１〜図４において、１はフロントパネル、２は下蓋、３は上蓋、４は操作釦、５，８はプリント配線基板、６は操作スイッチ、７は中間部材、９は締結用ビス、１０，１２は接続コネクタ、１１は接続リード、１３は第１の支軸、１４は第２の支軸、１５はダンパーギヤ、１６は駆動ギヤ、１７は規制部材としてのダンパー装置である。
【００２３】
次に、蓋体ブロックの構成としてプリント配線基板５の上に操作スイッチ６と接続コネクタ１０が半田付けされて基板ブロックを構成している。次に上蓋３をベース基準にして操作釦４、次に中間部材７が積み上げられ、その後、前記の基板ブロックが上蓋３より構成されているボス並びに位置決めピンによりビス締結されている。
【００２４】
その後、下蓋２へ前記の上蓋ブロックが取り付けられ、ビス締結部３−４でビス締結されて（図中省略）上蓋ブロックが構成される。この時、中間部材７がプリント配線基板の上の操作スイッチ６と操作釦４との高さを一定に保ってリブ２−４でプリント配線基板５を受けており、操作釦の操作感の安定性向上と蓋体ブロック全体の剛性にも役立っている。
【００２５】
なお、この時点では接続リード１１は孔３−１より外に引き出されている。図３において下蓋２の一方の第２の軸受部２−１には駆動ギヤ１６がＤカット状に嵌合して結合され軸受け部となり第１の支軸１３を貫通させれるようになっている。
【００２６】
次に、蓋体ブロックをフロントパネル１に取り付ける場合について説明する。図３において準備された蓋体ブロックを前記フロントパネルの前方Ｃ方向よりはめ込む。この時フロントパネル１の第１の軸受部１−１と下蓋２より構成されている第２の軸受部２−１，２−２、および下蓋２より構成されている軸受部２−３との軸心センター合わせのため、合わせ治具等で受け台を構成してセンター合わせを行う。
【００２７】
その後、第１の支軸１３を図中ａ方向（第２の軸受部２−１から軸受部２−３への方向）に向かって挿入し、先端は当接リブ３−３により当接され位置規制される。
【００２８】
なお、第１の支軸１３には軸受け孔へのセンター出しのガイド性を良くするするために先端に面取りを施しており、フロントパネル側の第１の軸受部１−１も第１，第２の支軸１３，１４のそれぞれを挿入方向に対してガイドできるようにしている。
【００２９】
その後、第２の支軸１４も同様に図ｂ方向（第２の軸受部２−２から軸受部２−３への方向）に向かって挿入し、第２の支軸１４の先端も当接リブ３−３に当接させ位置規制している。第２の支軸１４の全長は図中の寸法Ｌより短く設定されており、第１の支軸１３が先に挿入されても第２の支軸１４は後から挿入できることになる。なお、支軸と軸受けのクリアランスは最小の隙間とし極力ガタが無い設定とする。
【００３０】
次に、図中ｄ方向よりダンパーギヤ１５を有したダンパー装置１７を挿入する。この時、Ｃ面規制リブ１７−１は先に挿入された第１，第２の支軸１３，１４のもう一方の先端をガイドして当接し、第１，第２支軸１３，１４の抜け防止を行っている。
【００３１】
また、フロントパネル１とダンパー装置１７との位置決めは、位置決めリブ１７−２と位置決め孔１−５とで位置規制を行っており、挿入時にはリブ１７−２が弾性体形状で撓んで前記位置決め孔１−５にはまる。その後、フロントパネル１の締結用ボス１−４にビス９で固定される。
【００３２】
そして、この状態では接続リード１１はフロントパネル１の開口部１−３を介してプリント配線基板８の上の接続コネクタ１２に接続されている。
図４において蓋体ブロックが開いたときはストッパーリブ３−２がフロントパネル面に当たり開いたときの位置規制をしている。図２においては蓋体ブロックが閉状態となっておりロック機構（図中省略）などで保持されている。
【００３３】
なお、上記の実施の形態ではフロントパネル１の背面に取り付けられて第１，第２の支軸１３，１４の中央への移動を規制する規制部材には、下蓋２の側に嵌合した駆動ギヤ１６に噛合するダンパーギヤ１５が設けられていたが、このダンパー手段を第１，第２の支軸１３，１４の中央への移動を規制する規制部材と別に設けて構成することもできる。
【００３４】
【発明の効果】
以上のように本発明によると、蓋体の中央開口部より蓋体の左右の第２の軸受部から、フロントパネルの第１の軸受部を経て軸を挿入し、この軸の挿入状態で軸の移動を、蓋体の側の当接リブとフロントパネルの背面に取り付けた規制部材とで規制して蓋体を開閉自在に構成しているため、デザイン的・スペース的制約などにより回転支軸が蓋体の左右に構成できない場合でもこの蓋開閉装置によって実現可能となる効果が得られる。
【図面の簡単な説明】
【図１】本発明の実施の形態による蓋開閉装置を示す図３におけるＶ−Ｖに沿う縦断面図
【図２】同実施の形態の蓋体クローズ状態での縦断面図
【図３】同実施の形態の図１におけるＺ−Ｚで切断した矢視図
【図４】同実施の形態の図３におけるＹ−Ｙに沿う縦断面図
【図５】同実施の形態の外観斜視図
【図６】同実施の形態の分解図
【図７】従来の蓋開閉装置の図８におけるＸ−Ｘに沿う縦断面図
【図８】同従来例の図７におけるＷ−Ｗに沿う矢視図
【符号の説明】
１    フロントパネル
２    下蓋
３    上蓋
４    操作釦
５    プリント配線基板
６    操作スイッチ
７    中間部材
８    プリント配線基板
９    締結ビス
１０    接続コネクタ
１１    接続リード
１２    接続コネクタ
１３    第１の支軸
１４    第２の支軸
１５    ダンパーギヤ（第２のギヤ）
１６    駆動ギヤ（第１のギヤ）
１７    ダンパー装置（規制部材）
１−１，１−１    第１の軸受部
２−１，２−２    第２の軸受部
３−３，３−３    当接リブ
Ｂ    蓋体
Ｅ    蓋体の中央開口部
【図１】
0003587669.tif 000002
【図２】
0003587669.tif 000003
【図３】
0003587669.tif 000004
【図４】
0003587669.tif 000005
【図５】
0003587669.tif 000006
【図６】
0003587669.tif 000007
【図７】
0003587669.tif 000008
【図８】
0003587669.tif 000009